(57)【特許請求の範囲】
【請求項１】
開口部およびこの開口部を介して外部に連通する収容空間を有する筐体の収容空間に設けられる保持部材と、
この保持部材に前記開口部を介して進退自在に案内保持される導電性の支持部材と、
この支持部材に前記開口部を介して進退自在に案内保持されるとともに、電力により駆動する電気駆動部が配設された移動体と、
前記移動体に設けられ、前記電気駆動部および前記支持部材に電気的に接続される導電性の導電部材と、
前記支持部材が進退移動する範囲で前記保持部材により前記支持部材が案内保持される範囲に位置するとともに、前記保持部材または前記支持部材のどちらか一方に付勢されて、前記支持部材に電気的に接続する状態に配設された導電性の舌片部と、
を具備したことを特徴としたアース装置。
【請求項２】
請求項１に記載のアース装置であって、
前記舌片部は、前記筐体に設けられた
ことを特徴としたアース装置。
【請求項３】
請求項２に記載のアース装置であって、
非導電性の前記保持部材が導電性の前記筐体に一体的に設けられ、
前記保持部材は、前記保持部材の前記支持部材が進退移動する範囲で前記保持部材により前記支持部材が案内保持される範囲の所定の位置に前記舌片部を前記筐体側から前記支持部材側に挿通させる挿通孔を備えた
ことを特徴としたアース装置。
【請求項４】
請求項１に記載のアース装置であって、
前記舌片部は、前記支持部材に設けられた
ことを特徴としたアース装置。
【請求項５】
請求項４に記載のアース装置であって、
非導電性の前記保持部材が導電性の前記筐体に一体的に設けられ、
前記保持部材は、前記保持部材の前記支持部材が進退移動する範囲で前記保持部材により前記支持部材が案内保持される範囲に、前記支持部材から前記筐体側に前記舌片部を挿通させるとともに前記舌片部の進退を案内する挿通溝を備えた
ことを特徴としたアース装置。
【請求項７】
請求項１ないし請求項５のいずれかに記載のアース装置であって、
前記舌片部は、前記保持部材および前記支持部材の間で回転する球状に形成された
ことを特徴としたアース装置。
【請求項１０】
請求項１ないし請求項９のいずれかに記載のアース装置であって、
前記保持部材は、前記支持部材の進退方向に沿って形成される凹溝状に形成され、
前記支持部材は、前記凹溝に摺動可能に係合された
ことを特徴としたアース装置。
【請求項１１】
請求項１０に記載のアース装置であって、
前記舌片部は、前記保持部材の前記凹溝および前記支持部材に挟まれる状態で配設された
ことを特徴としたアース装置。
【請求項１２】
請求項１０または請求項１１に記載のアース装置であって、
前記支持部材は、前記移動体の進退方向に沿って凹溝状に形成され、
前記移動体は、前記凹溝に摺動可能に係合された
ことを特徴としたアース装置。
【請求項１３】
請求項１２に記載のアース装置であって、
前記導電部材は、前記支持部材の前記凹溝および前記移動体の間に挟まれる状態で配設される
ことを特徴としたアース装置。
【請求項１４】
請求項１ないし請求項１３のいずれかに記載のアース装置であって、
前記導電部材は、前記支持部材側に付勢された
ことを特徴としたアース装置。
【請求項１５】
請求項１ないし請求項１４のいずれかに記載のアース装置であって、
前記移動体は、前記電気駆動部を保護する保護部材を備えた
ことを特徴としたアース装置。
【請求項１６】
請求項１５に記載のアース装置であって、
前記保護部材は、導電性素材にて形成され、前記導電部材および前記電気駆動部に電気的に接続された
ことを特徴としたアース装置。
【請求項１７】
請求項１５または請求項１６に記載のアース装置であって、
前記保護部材は、導電性の止め具により前記電気駆動部に電気的に接続された状態で固定される
ことを特徴としたアース装置。
【請求項１８】
請求項１７に記載のアース装置であって、
前記保護部材は、前記止め具により前記舌片部とともに前記電気駆動部に固定される
ことを特徴としたアース装置。
【請求項１９】
請求項１５または請求項１６に記載のアース装置であって、
前記保護部材と前記電気駆動部とに接続されるとともに、前記保護部材と前記電気駆動部とを互いに離れる方向に付勢する導電可能な弾性導電部材が設けられた
ことを特徴としたアース装置。
【請求項２０】
請求項１５ないし請求項１９のいずれかに記載のアース装置であって、
前記舌片部は、前記保護部材と一体に形成された
ことを特徴としたアース装置。
【請求項２１】
請求項１ないし請求項２０のいずれかに記載のアース装置であって、
前記舌片部は、前記移動体の後退方向の先端側近傍に設けられた
ことを特徴としたアース装置。
【請求項２２】
請求項１ないし請求項２０のいずれかに記載のアース装置と、
開口部を有する筐体と、
電力により駆動し、少なくとも一部が前記電気駆動部として構成される電動部と、
を備えたことを特徴とした電気機器。
【請求項２３】
請求項２２に記載の電気機器であって、
前記電気駆動部は、記録媒体に記録された情報を再生する再生処理および情報を記録する記録処理の少なくとも一方の処理をするピックアップ部を備えた
ことを特徴とした電気機器。
【発明の詳細な説明】
【技術分野】
【０００１】
本発明は、移動体を接地するアース装置、および電気機器に関する。
【背景技術】
【０００２】
従来、ＣＤ（Compact Disk）やＤＶＤ（Digital Video Disc）などの記録媒体の記録や再生を実施するディスクドライブには、ノート型パーソナルコンピュータなどに装着するために、薄型に設計された構成、いわゆるスリムディスクドライブがある。このようなスリムディスクドライブでは、装置の薄型化のため、記録媒体を載置するトレイに電力の供給により駆動する電力駆動部を設けることがあり、このようなトレイの電力駆動部のアース構造が知られている（例えば、特許文献１ないし特許文献３参照）。
【０００３】
特許文献１に記載の装置は、キャビネットにドロワを格納した光ディスク装置である。このドロワは、光ディスクに情報を記録および／または記録された情報を再生するディスク記録／再生ユニットと、ディスク記録／再生ユニットの一部を覆い保護するドロワ蓋と、光ディスクを載置するトレイとを備えている。また、キャビネットには、金属シャフトを介してスライド自在に設けられるドロワ排出用スライダが設けられている。そして、このドロワ排出用スライダの一端部の圧接部はドロワがキャビネットに格納された状態においてドロワの導電接触部に当接し、ディスク記録／再生ユニットなどのアースを形成している。
【０００４】
特許文献２に記載の装置は、光ディスク装置のディスク脱着移動用のトレーと、トレーを支持するレール部材と、このレール部材を保持するレール保持部材とのいずれかまたは全部を導電性樹脂で形成している。そして、トレーとレール部材を導電可能に摺接させて、レール部材とレール保持部を導電可能に摺接させている。また、レール保持部とボトムケースとは、導電可能に接続されている。この装置では、トレーに帯電した静電気をトレーからレール部材、レール保持部を経てボトムケースから放電し、トレイへの静電気の帯電を防止する。
【０００５】
特許文献３に記載の装置は、ディスク搭載テーブルの両面側に金属製の板ばね部材を支持し、筐体の両内壁面にテーブル挿入排出口にロック部材を設けたものである。ロック部材は、板ばねの係合突起部を挿入して係止するための係止穴を有し、この係止穴で係合突起部を係止することでディスク搭載テーブルの移動を規制している。この装置では、ディスク搭載テーブルが、筐体内に格納されているときは、板ばね部材が筐体内壁面側に当接してアースされる。
【０００６】
【特許文献１】
特開２００２−３６７３５８号公報（第４頁右欄−第５頁左欄、図３）
【特許文献２】
特開２００３−１８７５１４号公報（第３頁右欄−第４頁右欄）
【特許文献３】
特開平０６−３０２０８０号公報（第２頁右欄−第３頁左欄、図４）
【発明の開示】
【発明が解決しようとする課題】
【０００７】
しかしながら、上記特許文献１に記載のような従来の光ディスク装置では、ドロワがキャビネットに格納していない状態では、圧接部と導電接触部とが当接しないのでアースされないという問題が一例として挙げられる。
【０００８】
また、特許文献２に記載のような従来の光ディスク装置では、トレーとレール部材とレール保持部のうち、１つまたは２つを導電性樹脂または金属で形成し、残りのうち１つを非導電性の素材で形成した場合、トレーのアースが取れないという不都合がある。また、導電性樹脂で形成された部材では、金属で形成されるものに比べて導通経路の抵抗が高く、電流値が低くなる。このため、光ディスク装置のトレーとレール部材とレール保持部のうち、１つまたは２つを導電性樹脂で形成し、残りを金属で形成した場合でも、トラバースメカの電荷がアースされにくくなるという不都合がある。さらに、導電性樹脂や金属で形成したトレー上にトラバースメカを配置すると、トラバースメカの電子部品に必要な電力がトレー上に逃げてしまったり、トレーに帯電した電荷により電子部品が誤動作したりするおそれがある。特許文献２に記載のディスク装置では、以上のような不都合が生じるおそれがあるという問題が一例として挙げられる。
【０００９】
さらに、特許文献３に記載のような従来の光ディスク装置では、板ばね部材の係合突起部をロック部材の係止穴に係止させるとき、係合突起部は、一旦ロック部材の表面上を通過して係止穴に係止され筐体の内面に当接される。したがって、ロック部材の表面上を通過する間は係合突起部と筐体の内面とは接触せず、導電されないおそれがある。したがって、例えば係合突起部がロック部材の表面上に停止した場合などでは、ディスク搭載テーブルがアースされないという問題が一例として挙げられる。
［００１０］
本発明は、常に安定したアース構造を容易に構成可能なアース装置、および電気機器を提供することを目的とする。
【課題を解決するための手段】
［００１１］
本発明のアース装置は、開口部およびこの開口部を介して外部に連通する収容空間を有する筐体の収容空間に設けられる保持部材と、この保持部材に前記開口部を介して進退自在に案内保持される導電性の支持部材と、この支持部材に前記開口部を介して進退自在に案内保持されるとともに、電力により駆動する電気駆動部が配設された移動体と、前記移動体に設けられ、前記電気駆動部および前記支持部材に電気的に接続される導電性の導電部材と、前記支持部材が進退移動する範囲で前記保持部材により前記支持部材が案内保持される範囲に位置するとともに、前記保持部材または前記支持部材のどちらか一方に付勢されて、前記支持部材に電気的に接続する状態に配設された導電性の舌片部と、を具備したことを特徴とする。
［００１２］
本発明のアース装置は、開口部およびこの開口部を介して外部に連通する収容空間を有する筐体の収容空間に設けられる導電性の保持部材と、この保持部材に前記開口部を介して進退自在に案内保持され、前記保持部材と電気的に接続される導電性の支持部材と、この支持部材に前記開口部を介して進退自在に案内保持されるとともに、電力により駆動する電気駆動部が配設された移動体と、前記移動体に設けられ、前記電気駆動部および前記支持部材に電気的に接続される導電性の導電部材と、を具備したことを特徴とする。
［００１３］
本発明の電気機器は、前述した本発明のアース装置と、開口部を有する筐体と、電力により駆動し、少なくとも一部が前記電気駆動部として構成される電動部と、を備えたことを特徴とする。
【図面の簡単な説明】
［００１４］
［図１］本発明の一実施の形態に係るディスク装置の概略構成を示す一部を切り欠いた平面図である。
［図２］ディスク装置の保護部材とレールとの当接位置を拡大した平面図である。
［図３Ａ］第１のアースばねを拡大した平面図である。
［図３Ｂ］第１のアースばねを拡大した側面図である。
［図３Ｃ］第２のアースばねを拡大した平面図である。
［図３Ｄ］第２のアースばねを拡大した側面図である。
［図４］ディスク装置を一側面から見た際の側面図である。
［図５］ディスク装置を前面側から見た際の断面図である。
［図６］トレイ部が進出した状態の概略構成を示す一部を切り欠いた平面図である。
［図７］トレイ部を排出した状態におけるディスク装置の側面図である。
［図８］本発明の別の実施の形態に係るディスク装置の概略構成を示す一部を切り欠いた平面図である。
【符号の説明】
［００１５］
１００      電気機器としてのディスク装置
２００      筐体としてのケース体
２０１      開口部
２６０Ａ    保持部材としての第１のレールガイド
２６０Ｂ    保持部材としての第２のレールガイド
２６２      挿通孔
２７０Ａ    アース装置を構成する支持部材としての第１のレール
２７０Ｂ    アース装置を構成する支持部材としての第２のレール
２８０      アース装置を構成する舌片部としての第２のアースばね
３００      移動体としてのトレイ部
３３０      電気駆動部としてのディスク処理部
３４９      ピックアップ部としての光ピックアップ
３６０，３６２      保護部材
３６１      アース装置を構成する導電部材としての第１のアースばね
３６３      アース装置を構成する導電部材としてのアース突起
【発明を実施するための最良の形態】
［００１６］
以下、本発明における一実施の形態を図面に基づいて説明する。本実施の形態では電気機器として記録媒体の情報を記録および読み出す記録媒体駆動装置としてのディスク装置を例示して説明する。
【００１７】
［ディスク装置の構成］
図１は、本発明の一実施の形態に係るディスク装置の概略構成を示す一部を切り欠いた平面図である。図２は、ディスク装置の保護部材とレールとの当接位置を拡大した平面図である。図３Ａ〜図３Ｄは、第１のアースばねおよび第２のアースばねを拡大した平面図、および側面図である。図４は、ディスク装置を一側面から見た際の側面図である。図５は、ディスク装置を前面側から見た際の断面図である。図６は、トレイ部が進出した状態の概略構成を示す一部を切り欠いた平面図である。図７は、トレイ部を排出した状態におけるディスク装置の側面図である。
【００１８】
図１ないし図７において、１００はディスク装置で、このディスク装置１００は、例えば携帯型のパーソナルコンピュータなどの電気機器に装着されるいわゆるスリムディスク装置（或いはスリムディスクドライブ）と称されるものである。このディスク装置１００は、着脱可能に装着される面状の記録媒体、例えばＣＤやＤＶＤなどにおける少なくとも一面に設けられた図示しない記録面に記録された情報を読み出す情報処理である読取処理および記録面へ各種情報を記録する情報処理である記録処理の少なくとも一方の処理をする。そして、ディスク装置１００は、例えば金属製で内部空間を有し一側面が開口する略四角箱状の筐体としてのケース体２００を有している。ケース体２００は、一面側に開口部２０１を有し、内部に空洞状の収容空間を備えた箱型に形成されている。このケース体２００は、例えばアルミの表面に導電性の被覆材を被覆して形成されている。なお、被覆材を被覆した構成の他に、たとえば銅などの導電性を有する金属にて形成されていてもよい。また、このケース体２００には、図示しないアース線が設けられていて、常にアースされた状態でディスク装置１００に設けられている。
【００１９】
ケース体２００には、開口部２０１を介して移動体としてのトレイ部３００が進退自在に設けられている。またケース体２００の内部には、トレイ部３００を進退させる搬送手段２００Ａと、トレイ部３００の進退方向に沿って配設されるレール部２５０と、ディスク装置１００全体の動作を制御する図示しない制御回路部と、が設けられている。
［００２０］
レール部２５０は、ケース体２００の開口部からとトレイ部３００の進退方向に沿って配設され、トレイ部３００をケース体２００開口から進退可能に支持している。このレール部２５０は、保持部材としての第１のレールガイド２６０Ａと、保持部材としての第２のレールガイド２６０Ｂと、支持部材としての第１のレール２７０Ａと、支持部材としての第２のレール２７０Ｂと、舌片部としての第２のアースばね２８０と、などを備えて構成されている。
［００２１］
第１のレールガイド２６０Ａは、ケース体２００の開口部２０１からトレイ部３００の進退方向に沿って、ケース体２００の１側面の内面側に設けられている。この第１のレールガイド２６０Ａは、例えば合成樹脂などの非導電性の素材にて断面略コ字状に形成されている。すなわち、第１のレールガイド２６０Ａには、第１のレール２７０Ａ側に凹状の凹溝部が形成されている。また、第１のレールガイド２６０Ａは、断面視において下端側が上方に向かって立上部２６１を形成している。そして、第１のレールガイド２６０Ａの内側には、第１のレール２７０Ａが摺動自在に設けられている。また、第１のレールガイド２６０Ａの長手方向の略中心には第２のアースばね２８０を挿通させる挿通孔２６２が設けられている。さらに、この挿通孔２６２よりトレイ部３００を格納する方向、つまり奥行き側に、第１のレール２７０Ａの摺動を規制するレール摺動止部２６３が設けられている。
［００２２］
第２のレールガイド２６０Ｂはケース体２００の開口部２０１からトレイ部３００の進退方向に沿って、第１のレールガイド２６０Ａに対向して設けられる。第２のレールガイド２６０Ｂは、トレイ部３００の記録媒体を載置する載置面３２１から突出しないように、トレイ部３００の肉厚部に沿って配設される。また、第２のレールガイド２６０Ｂにも、第１のレールガイド２６０Ａと同様に断面略コ字状に形成されている。すなわち、第２のレールガイド２６０Ｂには、第２のレール２７０Ｂ側に凹溝状の凹溝部が形成されている。また、第２のレールガイド２６０Ｂには、第１のレールガイド２６０Ａと同様に、長手方向の略中心位置にレール摺動止部２６３が形成されている。このレール摺動止部２６３は、少なくとも第１のレールガイド２６０Ａに設けられる挿通孔２６２よりも奥行き側に設けられている。
［００２３］
第１のレール２７０Ａは、例えばステンレス鋼や硬鋼などの耐磨耗性に優れ、金属粉などが出にくい導電性を有する金属素材にて形成されている。この第１のレール２７０Ａは、断面略コ字状に形成されている。すなわち、トレイ部３００の進退方向に沿って、凹溝状の凹溝部が形成されている。また、第１のレール２７０Ａは、外周面が第１のレールガイド２６０Ａの凹溝部の内周面に略当接するサイズに形成されている。この時、第１のレール２７０Ａは、第１のレールガイド２６０Ａの立上部２６１にて左右方向が位置決めされている。また、この第１のレール２７０Ａにはトレイ部３００が摺動自在に設けられている。さらに、第１のレール２７０Ａの奥行き側の端部には、レール摺動止突起２７２が形成されている。レール摺動止突起２７２は、レール摺動止部２６３と当接することで、開口部２０１からの第１のレール２７０Ａの飛び出しを防止している。さらには、第１のレールの開口部２０１側の端部には、移動規制部材としての立上部２７１が形成されている。なお、第１のレールの素材として、ステンレス鋼や硬鋼などを素材とする例を示したが、これに限らない。例えば、合成樹脂などの非導電性の素材の表面に導電性の金属メッキでコーティングする構成としてもよい。また、アルミなどの耐摩耗性の小さい素材の表面に耐摩耗性を強化する金属メッキ、例えばクロムメッキやロジウムメッキなどのメッキ処理を施したレールを用いてもよい。
【００２４】
第２のレール２７０Ｂは、第１のレール２７０Ａと同様にステンレス鋼や硬鋼などの耐摩耗性を有する導電性の金属素材にて断面略コ字状に形成されている。なわち、トレイ部３００の進退方向に沿って、凹溝状の凹溝部が形成されている。そして、第２のレールガイド２６０Ｂの凹溝部の内周面に略当接して摺動自在に支持されている。また、第２のレール２７０Ｂには、開口部２０１とは反対側の端部にレール摺動止突起２７２が形成されている。そして、第２のレール２７０Ｂが第２のレールガイド２６０Ｂに沿って所定の距離だけ開口部２０１から飛び出すと、このレール摺動止突起２７２が第２のレールガイド２６０Ｂのレール摺動止部２６３に当接し、第２のレール２７０Ｂの飛び出しを防止する。さらに、第１のレール２７０Ａと同様に、開口部２０１側の端部に断面しにおいて、図示しない立上部が形成されている。なお、第２のレールの素材として、ステンレス鋼や硬鋼などを素材とする例を示したが、これに限らない。例えば、第１のレール２７０Ａと同様に、合成樹脂などの非導電性の素材の表面に導電性の金属メッキでコーティングする構成としてもよい。また、アルミなどの耐摩耗性の小さい素材の表面に耐摩耗性を強化する金属メッキ、例えばクロムメッキやロジウムメッキなどのメッキ処理を施したレールを用いてもよい。
【００２５】
第２のアースばね２８０は、ケース体２００に設けられ、第１のレール２７０Ａに付勢される舌片状の板ばねである。すなわち、第１のレールガイド２６０Ａ側のケース体２００に設けられ、第１のレールガイド２６０Ａの挿通孔２６２に挿通されて第１のレール２７０Ａ側に突出して形成されている。この第２のアースばね２８０は、導電性を有する金属にて、略板状に形成されている。なお、第２のアースばね２８０の先端部は、第１のレール２７０Ａとの当接位置にて、第１のレール２７０Ａに対して鋭角となるように折り曲げられて形成されていてもよい。そして、この第２のアースばね２８０は、第１のレール２７０Ａをトレイ部３００側に付勢している。さらに、この第２のアースばね２８０により第１のレール２７０Ａはケース体２００と電気的に接続される。なお、第２のアースばね２８０の形状としては、略板状に限定されず、例えば棒状に形成されていてもよく、コイル状に形成されていてもよい。
【００２６】
トレイ部３００は、例えば合成樹脂などの非導電性の素材にて形成された略板状のトレイ３１０と、このトレイ３１０の一縁に設けられ搬送手段２００Ａにてケース体２００内に後退された状態でケース体２００の開口を閉塞する合成樹脂などにて細長板状に形成された化粧板３２０と、を備えている。トレイ３１０の１面には、記録媒体を載置する載置面３２１が設けられている。そして、トレイ３１０には、略中央部に装着開口３００Ａが開口形成されている。また、トレイ３１０の側面は、第１および第２のレール２７０Ａ，２７０Ｂの内面側に当接し、開口部２０１から進退自在となるように摺動可能に保持されている。また、トレイ３１０の側面には、移動規制止部としての図示しない当接面が設けられている。そして、トレイ３１０は、当接面が第１および第２のレール２７０Ａ，２７０Ｂに設けられた図示しない立上部に当接することで移動が規制され、ケース体２００から抜け落ちるのを防止している。
【００２７】
そして、トレイ部３００には、トレイ３１０の装着開口３００Ａに一部が臨む状態に電気駆動部としてのディスク処理部３３０が配設されている。また、トレイ３１０には、ディスク処理部３３０を保護する保護部材３６０が設けられている。なお、ディスク処理部３３０と、上述した制御回路部と、などにより本発明の電動部が構成されている。
【００２８】
ディスク処理部３３０は、図１、図３Ａ〜図３Ｄ、および図５に示すように、枠状に形成された台座部３４０と、台座部３４０とトレイ３１０との間に設けられる電気導電部としての処理基板３５０と、を備えている。台座部３４０には、周縁近傍に位置して、ディスク回転駆動手段３４１が配設されている。このディスク回転駆動手段３４１は、スピンドルモータである図示しない回転用電動モータと、この回転用電動モータの出力軸に一体的に設けられたターンテーブル３４２と、を備えている。
【００２９】
また、台座部３４０には、処理移動手段３４４が配設されている。この処理移動手段３４４は、軸方向が略平行に台座部３４０に配設された一対のガイドシャフト３４５と、移動電動モータ３４６と、を備えている。移動電動モータ３４６の図示しない出力軸には、外周面に螺旋状の係合溝が設けられたリードスクリュ３４６Ａが同軸上に一体に連結されている。
【００３０】
さらに、台座部３４０には、処理移動手段３４４に支持された情報処理部３４７が配設されている。この情報処理部３４７は、一対のガイドシャフト３４５間に架橋する状態で保持される移動保持部３４８を備えている。この移動保持部３４８には、ガイドシャフト３４５を移動可能に嵌挿する保持部３４８Ａと、移動電動モータ３４６の出力軸に連結されたリードスクリュ３４６Ａの係合溝に係合する移動規制爪部３４８Ｂと、を備えている。また、情報処理部３４７の移動保持部３４８には、制御回路部に信号を送受信可能に接続され、制御回路部の制御により、記録媒体の記録面に記録された各種情報を読み取って出力回路部へ出力する読取処理や、制御回路部からの各種情報を記録面に記録する記録処理を実施するためのピックアップ部としての光ピックアップ３４９が配設されている。
【００３１】
また、この台座部３４０は、３つの駆動保持部フロートゴム３４０Ａを介してトレイ３１０にビス止めされている。フロートゴム３４０Ａは、例えば合成樹脂などの弾性部材にて形成される環状部材である。フロートゴム３４０Ａは、トレイ部３００全体の振動を軽減する。
【００３２】
処理基板３５０は、トレイ３１０に固定されている。この処理基板３５０は、制御回路部と、スピンドルモータや移動電動モータ３４６や情報処理部３４７などのディスク処理部３３０に接続されている。そして、制御回路部から送信された信号に基づいて、スピンドルモータや移動電動モータ３４６や情報処理部３４７などの駆動を制御している。そして、制御回路部から送信された信号に基づいてディスク処理部３３０の処理を制御し、記録媒体から取得した情報に基づいて所定の信号を制御回路部に送信する。
【００３３】
さらに、処理基板３５０には、アース孔３５１が設けられている。このアース孔３５１は、アルミや銅などの導電性を有する素材にて略環状に形成されている。そして、アース孔３５１は、スピンドルモータや移動電動モータ３４６や情報処理部３４７などと処理基板３５０上にて電気的に接続される。
【００３４】
保護部材３６０は、トレイ部３００の載置面３２１とは反対側の面から取り付けられ、ディスク処理部３３０を覆って取り付けられる。この保護部材３６０は、例えばアルミなどの導電性を有する例えばアルミなどの金属素材で略矩形板状に形成されている。なお、導電性の部材としては、アルミなどの金属製素材の他、導電性を有する合成樹脂であってもよい。なお、保護部材には、導電性を良好にするＥＭＣ導電性塗料をコーティング剤として被覆したり、電磁波を遮断するシールディング剤などを被覆したりした構成としてもよい。
【００３５】
この保護部材３６０の開口部２０１とは反対側の端部には、第１のレール２７０Ａに当接する導電部材としての第１のアースばね３６１が設けられている。そして、この第１のアースばね３６１と、第１のレール２７０Ａと、ケース体２００と、により、本発明のアース装置３７０が構成されている。第１のアースばね３６１は、金属などの導電性の素材で形成されている。この第１のアースばねは、トレイ部３００の進退方向に対して長手に形成されたアース本体３６１Ａと、保護部材３６０と接触する導電孔３６１Ｂと、ばね部３６１Ｃと、を備えている。なお、この第１のアースばね３６１が設けられる位置としては、第１のレール２７０Ａと接触する位置に設けられていればよい。
【００３６】
アース本体３６１Ａは、導電孔３６１Ｂにより保護部材３６０に取り付けられている。このばね部３６１Ｃは、金属製素材などにて形成されて導電性を有している。また、ばね部３６１Ｃは、トレイ３１０の開口部側から奥行き側に向かって斜めに伸び、第１のレール２７０Ａ側に付勢されている。さらに、ばね部３６１Ｃの先端部は、第１のレール２７０Ａとの当接位置３６１Ｃ１にて、第１のレール２７０Ａに対して鋭角となるように折り曲げられている。そして、第１のアースばね３６１は、導電孔３６１Ｂと保護部材３６０を当接させてばね部３６１Ｃと第１のレール２７０Ａを当接させることにより、保護部材３６０と第１のレール２７０Ａとを電気的に接続している。
【００３７】
また保護部材３６０は、処理基板３５０に設けられるアース孔３５１に対応する位置に図示しない取付孔が設けられている。そして、保護部材３６０は、金属製などの導電性を有するねじを取付孔から処理基板３５０のアース孔３５１を介してトレイ３１０に螺合することで固定される。この時、導電性のねじにより処理基板３５０のアース孔３５１と保護部材３６０とが電気的に接続される。
【００３８】
さらに、保護部材３６０は、第１のアースばね３６１が設置される位置では、保護部材３６０と処理基板３５０のアース孔３５１と第１のアースばね３６１の導電孔３６１Ｂとが電気的に接続されるように、止め具としての導電性のねじを取付孔からトレイ部３００に螺合させて固定する。
【００３９】
制御回路部は、例えば各種電気部品が搭載された回路基板に回路構成として構成されている。そして、制御回路部には、光ピックアップ３４９の動作を制御する駆動制御手段や、読取処理や記録処理などの情報処理を実施する情報処理手段、後述するレーザ光の光量の調整処理を実施する光量制御手段などが構成されている。
【００４０】
［ディスク装置の動作］
次に、上記ディスク装置１００の動作について説明する。ディスク装置１００は、利用者による設定入力などにより、トレイ部３００をケース体２００の開口部２０１から進退させる動作を実施する。
【００４１】
（トレイ部のアース）
トレイ部３００がケース体２００内部に格納されている場合、図１に示すように保護部材３６０は導電性を有し、ディスク処理部３３０の電気的配線が接続される処理基板３５０に接続している。そして、保護部材３６０は、導電性を有する第１のアースばね３６１により導電性の第１のレール２７０Ａの開口部２０１から離れた端部に接続される。また、第１のレール２７０Ａの略中心部には、ケース体２００から伸びる第１のアースばね３６１が接触し、ケース体２００と電気的に接続される。また、ケース体２００には、図示しないアース線が接続されている。すなわち、ディスク処理部３３０のスピンドルモータや移動電動モータ３４６や情報処理部３４７など各電気的部材は、保護部材３６０、第１のアースばね３６１、第１のレール２７０Ａ、第２のアースばね２８０を介してケース体２００に電気的に接続されてアースされる。
【００４２】
次にトレイ部３００がケース体２００から排出される途中の状態におけるトレイ部３００のアースについて説明する。トレイ部３００が開口部２０１から排出されると、トレイ３１０は第１のレール２７０Ａに沿って摺動する。さらに第１のレール２７０Ａは第１のレールガイド２６０Ａに沿って摺動する。
【００４３】
そして、レール摺動止部２６３が挿通孔２６２よりも奥行き側に設けられているので、トレイ部３００の移動中において、第１のレール２７０Ａは常に第２のアースばね２８０に当接する。また、第１のアースばね３６１は、トレイ３１０の側面に設けられるストッパよりも奥行き側に設けられているので、トレイ部３００の移動中において、第１のレール２７０Ａは第１のアースばね３６１とも常に当接している。したがって、トレイ部３００の進退移動の際には、第１のレール２７０Ａは常に保護部材３６０およびケース体２００と導電可能な状態となっていて、トレイ部３００のディスク処理部３３０は、保護部材３６０、第１のレール２７０Ａ、第２のアースばね２８０、および第１のアースばね３６１を介してケース体２００に電気的に接続されてアースされる。
【００４４】
次にトレイ３１０がケース体２００から排出された状態におけるトレイ部３００のアースについて説明する。
【００４５】
トレイ部３００が排出された状態においては、図７にしめすように第２のレールガイド２６０Ｂのレール摺動止部２６３と第２のレール２７０Ｂとが当接して、第２のレール２７０Ｂの摺動が止められる。さらに、トレイ３１０の側面に設けられるストッパにより第１および第２のレール２７０Ａ，２７０Ｂとトレイとの摺動も止められる。したがって第１のレール２７０Ａと第１のレールガイド２６０Ａとの摺動も止められる。ここで、レール摺動止部２６３が挿通孔２６２よりも奥行き側に設けられているので、第２のアースばね２８０は、第１のレール２７０Ａに当接された状態となる。また、第１のアースばね３６１は、トレイ３１０の側面に設けられるストッパよりも奥行き側に設けられているので、第１のレール２７０Ａに当接された状態となる。したがって、トレイ部３００のディスク処理部３３０は、保護部材３６０、第１のレール２７０Ａ、第２のアースばね２８０、第１のアースばね３６１を介してケース体２００と電気的に接続され、アースされる。
【００４６】
［ディスク装置の作用効果］
上記のような実施の形態のディスク装置１００には、第１および第２のガイドレール２６０Ａ，２６０Ｂがケース体２００の内面に設けられて第１および第２のレール２７０Ａ，２７０Ｂを進退自在に保持し、この第１および第２のレール２７０Ａ，２７０Ｂが、ディスク処理部３３０を備えたトレイ部３００を進退自在に支持している。そして、トレイ部３００にはディスク処理部３３０と導電可能な第１のアースばね３６１が第１のレール２７０Ａに摺接される状態で設けられ、この第１のレール２７０Ａには、ケース体２００に設けられた第２のアースばね２８０が摺接している。また、第２のアースばね２８０が第１のレール２７０Ａの進退移動範囲において、第１のレール２７０Ａに接続されるように設けられている。そして、ディスク処理部３００に帯電した電気は、第１のアースばね３６１、第１のレール２７０Ａ、第２のアースばね２８０、ケース体２００を介してアース線から放電される。このため、トレイ部３００をケース体２００から進退移動させても、第１のアースばね３６１が第１のレール２７０Ａに摺接して常時当接できる。したがって、ディスク処理部３３０は、第１のアースばね３６１および第１のレール２７０Ａを介してケース体２００に導電する簡単な構成で容易に常にアースできるアース構造を構成することができる。
【００４７】
また、合成樹脂と金属とによるコンデンサ効果により金属が帯電した場合でも、ディスク装置１００は常時アースされているので、確実にアースして帯電した電気を取り除くことができる。したがって、利用者に不快感を与えることがなく、またディスク処理部３３０の電気部品の誤動作を防止することができる。
【００４８】
また、本実施の形態では、ケース体２００は導電性の素材、例えばアルミなどにて形成されている。このため、このケース体２００にアース線を接続するだけで容易にケース体２００からアースすることができる。したがって、ディスク装置１００のアース構造をより簡単にすることができる。また、ディスク処理部３３０に帯電した電荷を例えばパーソナルコンピュータなどの電気機器内部を通すことなくアースできるので、このような電気機器に帯電電流が流れて故障することがない。
【００４９】
さらに、第２のアースばね２８０は、ケース体２００に設けられ、第１のレールガイド２６０Ａの挿通孔２６２を通って第１のレール２７０Ａに電気的に接続されている。このため、第１のレール２７０Ａをケース体２００との電気的な接続が簡単な構成で実施できる。
【００５０】
また、第１のレール２７０Ａは、ケース体２００耐摩耗性に優れた、例えばステンレス鋼など素材にて形成されている。このため、第１のアースばね３６１が摺接したとしても、傷がつきにくい。したがって、異音の発生も抑えられ、金属粉の発生も抑えられる。
【００５１】
また、ケース体２００は、導電性を有するアルミなどの素材にて形成されている。このため、ケース体２００にアース線などを接続するだけで、容易に第１のアースばね３６１、第１のレール２７０Ａ、およびケース体２００を介してディスク処理部３３０をアースすることができる。
【００５２】
また、第１のアースばね３６１のばね部３６１Ｃは、第１のレール２７０Ａ側に付勢されている。このため、第１のレール２７０Ａは、第１のレールガイド２６０Ａ側に付勢されて、この第１のレールガイド２６０Ａと第１のアースばね３６１とにより挟持される。したがって、第１のレール２７０Ａのガタを防止できる。また、確実に第１のアースばね３６１を第１のレール２７０Ａに当接できるので、ディスク処理部３３０のアースを確実に実施できる。
【００５３】
保護部材３６０は、ディスク処理部３３０を覆ってトレイ３１０に取り付けられている。このため、外部からの衝撃が加わったとしてもこの保護部材３６０が衝撃を緩和して保護でき、ディスク装置１００の強度を強化できる。また、保護部材３６０をアルミなどの導電性部材で形成しているため、処理基板３５０と保護部材３６０とをねじ止めなどにて容易に電気的に接続した状態で固定することができる。したがって、保護部材３６０と処理基板３５０とをリード線などで接続する煩雑な作業が不要になり、生産性の向上が図れる。
【００５４】
また、保護部材３６０と処理基板３５０と第１のアースばね３６１とは、導電性を有するねじなどで螺合されてとも締めされている。このため、保護部材３６０と処理基板３５０と第１のアースばね３６１とを容易に固定できる。また、確実に保護部材３６０と処理基板３５０と第１のアースばね３６１とを導電させることができるので、ディスク処理部３３０のアースも確実に実施できる。
【００５５】
また、第２のアースばね２８０は、ケース体２００側から第１のレールガイド２６０Ａに設けられた挿通孔２６１を通して第１のレール２７０Ａ側に挿通されて第１のレール２７０Ａに摺接している。このため、ケース体２００と第１のレール２７０Ａとを確実に接触させることができる。したがって、簡単な構成で容易にかつ確実にトレイ部３００のディスク処理部３３０をアースすることができる。
【００５６】
さらに、第２のアースばね２８０は、第１のレール２７０Ａ側に付勢されている。このため、第１のレール２７０Ａはトレイ部３００側に付勢され、第１のレール２７０Ａとトレイ部３００との隙間により発生するガタや、第２のアースばね２８０と第１のレール２７０Ａとの間にできるガタなどを防止できる。
【００５７】
また、第２のアースばね２８０が挿通される挿通孔２６２は、レール摺動止部２６３より開口部２０１側に設けられている。このため、トレイ部３００が進退移動しても、第２のアースばね２８０は、第１のレール２７０Ａと常時摺接している。したがって、簡単な構成で常時第２のアースばね２８０を第１のレール２７０Ａに当接させることができる。
【００５８】
そして、ケース体２００には、トレイ部３００の出し入れ方向に沿って第１のレールガイド２６０Ａおよび第２のレールガイド２６０Ｂが設けられている。そして、第１のレールガイド２６０Ａは第１のレール２７０Ａを摺動可能に保持し、第２のレールガイド２６０Ｂは、第２のレール２７０Ｂを摺動可能に保持している。このため、第１および第２のレールガイド２６０Ａ，２６０Ｂの摺動が滑らかに実施できる。
【００５９】
また、この第１および第２のレールガイド２６０Ａ，２６０Ｂは、合成樹脂にて形成されている。このため、金属にて形成されるレールガイドに比べて重量が軽減でき、さらに加工がしやすくなる。したがって、生産性が向上して生産コストを低減させることができる。その上、第１および第２のレール２７０Ａ，２７０Ｂとの摩擦係数も小さくなるため、トレイ部３００を出し入れしたときの動作性を良好にできる。
【００６０】
第２のレールガイド２６０Ｂにレール摺動止部２６３が設けられ、第２のレール２７０Ｂにレール摺動止突起２７２が設けられている。このため、第２のレール２７０Ｂが開口部２０１から飛び出すことによる抜け落ちを防止できる。
【００６１】
第１および第２のレールガイド２６０Ａ，２６０Ｂは、断面略Ｃ字型に形成されている。このため、第１および第２のレール２７０Ａ，２７０Ｂを挟み込んで摺動自在に支持することができる。したがって、第１および第２のレール２７０Ａ，２７０Ｂのがたを防止できる。さらに、第１のレール２７０Ａ，２７０Ｂが第１および第２のレールガイド２６０Ａ，２６０Ｂから抜け落ちることを防止できる。
【００６２】
第２のアースばね２８０の先端部は、第１のレール２７０Ａとの当接位置２８０Ａにて、第１のレール２７０Ａに対して鋭角となるように折り曲げられている。このため、第１のレール２７０Ａが第１のレールガイドに沿って摺動したとしても、第１のアースばね３６１の先端部で第１のレール２７０Ａの表面を削ることがない。したがって、第１のレール２７０Ａの摺動による削り粉などが出ないので、ディスク装置１００を良好な状態に維持できる。
【００６３】
同様に第１のアースばね３６１のばね部３６１Ｃの先端部は、第１のレール２７０Ａとの当接位置にて、第１のレール２７０Ａに対して鋭角となるように折り曲げられている。このため、ばね部３６１Ｃは、第１のレール２７０Ａにより第１のレール２７０Ａが削れることによる削り粉の発生を防止できる。したがって、良好な状態でディスク装置１００を維持できる。
【００６４】
また、保護部材３６０は、良好な導電性を有する導電性コーティング剤で被覆してもよい。このようにすることで、保護部材３６０の導電性を良好にできる。したがって、保護部材３６０を介したアース効果をさらに良好にできる。また、このようなコーディング剤で被覆することで、保護部材３６０を例えばアルミなどの酸化しやすい素材で形成した場合でも、保護部材の酸化を防止できる。
【００６５】
また、第１のアースばね３６１は、トレイ部３００の奥行き側に取り付けられている。すなわち、第１のアースばね３６１は、利用者の手が届きにくいところに配置されているので、利用者が誤って触れてばね部３６１Ｃを変形させたりすることがない。したがって、第１のアースばね３６１が変形することによるメンテナンスなどを不要にできる。
【００６６】
また、第２のアースばね２８０は、第１のレールガイド２６０Ａの挿通孔２６２に挿通されて第１のレール２７０Ａに当接している。また、第１のアースばね３６１は、第１のレール２７０Ａに当接しているため第１のレールガイド２６０Ａに当接しない。したがって、第１のレールガイド２６０Ａと、これらの第２のアースばね２８０および第１のアースばね３６１との接触による第１のレールガイド２６０Ａの磨耗などがない。したがって、磨耗粉などが発生することがない。
【００６７】
さらに、第１および第２のレールガイド２６０Ａ，２６０Ｂには、凹溝状の凹溝部が形成され、第１および第２のレール２７０Ａ、２７０Ｂが係合されている。さらに、第１および第２のレール２７０Ａ，２７０Ｂにも、凹溝状の凹溝部が形成されていて、トレイ部３００の側面を係合している。このような構成では、容易に第１および第２のレール２７０Ａ，２７０Ｂおよびトレイ部３００を摺動させる構成が得られる。さらに、第１のレールガイド２６０Ａの凹溝部と第１のレール２７０Ａとに第２のアースばね２８０を配設することで、第２のアースばね２８０が外部から隠すことができるので、誤って手で触れて破損したりする心配がなく、また、外観上も良好となる。
【００６８】
［実施の形態の変形例］
なお、本発明は、上述した一実施の形態に限定されるものではなく、本発明の目的を達成できる範囲で以下に示される変形をも含むものである。
【００６９】
すなわち、記録媒体を対象とした情報処理を実施するディスク装置１００に用いられるトレイ部３００について例示したが、上述したように、ディスク装置１００に限らず、いずれの電力により駆動する電気駆動部を備えたトレイにも適用できる。
【００７０】
保護部材３６０および処理基板３５０、または第１のアースばね３６１および保護部材３６０および処理基板３５０をねじ止めにより固定して電気的に接続させる構成を示したが、これに限らない。例えば保護部材と処理基板の間に例えば金属製の弾性導電部材としてのコイルばねなどを挿入してもよい。この場合でも、コイルばねなどを通して保護部材と処理基板とを電気的に接続できる。さらに、ねじ止めとコイルばねの双方を用いることで、より確実に処理基板と保護部材とを接続できる。また、処理基板がディスク処理部に固定されているような場合では、コイルばねや板ばねなどにより処理基板と保護部材とを接続すると、ディスク処理部がターンテーブルの軸方向に動いたとしても保護部材を処理基板との接続を維持できる。
【００７１】
また、保護部材３６０と、処理基板３５０とが、フロートゴム３４０Ａの位置で導電可能にビス止めさせる構成としてもよい。このような構成では、フロートゴム３４０Ａを止めるビスを保護部材と処理基板とを電気的に接続する導電部をして有効に利用することができる。このような構成では、保護部材と処理基板とを電気的に接続するためにフロートゴム３４０Ａを止めるビスを利用できるので、部品点数を低減できて、生産性の向上が図れる。さらに、保護部材と処理基板とを例えば銅線やエナメル線などといったリード線で接続する構成としてもよい。
【００７２】
そして、上記実施の形態では、保護部材３６０に第１のアースばね３６１を設ける構成を示したが、これに限らない。例えば。図８に示すように保護部材３６２の一部を第１のレール２７０Ａ側に延ばして、導電部材としてのアース突起３６３を形成する構成としてもよい。このアース突起３６３は、例えば板ばねとして機能し、第１のレール２７０Ａ側に付勢される構成であってもよい。このような構成にすることで、第１のレール２７０Ａと保護部材３６２とは、アース突起３６３を介して電気的に接続される。このような構成でも、トレイ部３００が移動したとしても、アース突起３６３が第１のレール２７０Ａに摺接して移動できる。したがって、第１のレール２７０Ａと第１のアースばね３６１とを常時当接させることができる。すなわち、ディスク処理部３３０を常時アースすることができる。
【００７３】
また、第１のレールガイド２６０Ａおよび第２のレールガイド２６０Ｂが合成樹脂で形成される例を示したが、これに限らない。例えば、アルミなどの金属製のレールガイドであってもよい。このように第１のレールと第１のレールガイドとがともに金属製であって、ともに導電性を有する場合、第１のアースばねを不要にできる。
【００７４】
さらには、第１のレールガイド、および第２のレールガイドがケース体と一体に形成されている構成であってもよい。このような構成では、レールガイドの取り付け作業を不要にでき、作業性を向上させることができる。
【００７５】
また、第１および第２のレールガイド２６０Ａ，２６０Ｂを金属などの導電性を有する素材にて形成し、ケース体２００を合成樹脂などの非導電性の素材にて形成してもよい。この場合、第１のレールガイド２６０Ａにアース線を接続することでディスク処理部に帯電した電気を第１のアースばね３６１、第１のレール２７０Ａ、第１のレールガイド２６０Ａを介してアース線から放電することができる。
【００７６】
そして、本実施の形態では、保護部材３６０は、ディスク処理部３３０を覆うようにトレイ３１０に取り付けられる構成を示したが、これに限らない。例えば、ディスク処理部に設けられる、スピンドルモータ、移動電動モータ、情報処理部、などのアースを必要とする部材のみを覆う形状の保護部材を用いてもよい。さらには、アースを必要とする部材に導電性の線材を接続する構成であってもよい。このような構成では、ディスク装置１００の薄型化、軽量化を図ることができる。
【００７７】
そして、上記実施の形態では、第２の導電部として、第２のアースばね２８０が、略板状に形成され、第１のレール２７０側に付勢される構成を示したが、これに限らない。例えば、第２の導電部は、第１のレールの摺動に応じてケース体との間で回転する導電性の球状部材でもよく、金属製のベアリングであってもよい。さらに、ケース体から第１のレールに向かって突出する金属細線のブラシであってもよい。その他、第２の導電部の形状としては、第１のレールとケース体との電気的接続を確実に実施できる形状であれば、特に限定されない。
【００７８】
また、ケース体２００は、導電性を有する素材にて形成されている。このため、ケース体２００にアース線などを接続するだけで、容易に第１のアースばね３６１、第１のレール２７０Ａ、およびケース体２００を介してディスク処理部３３０をアースすることができる。
【００７９】
さらに、第１のレール２７０Ａに第２のアースばねが設けられている構成としてもよい。この場合、第１のレール２７０Ａの進退移動とともに第２のアースばねも進退移動する。したがって、第１のレールガイド２６０Ａに第２のアースばねが挿通する挿通溝を形成することが好ましい。このような構成であれば、第１のレール２７０Ａとケース体２００とを容易に電気的に接続することができる。
【００８０】
さらに、本実施の形態では、ケース体２００を導電性素材にて形成し、アース線をケース体２００に接続する例を示したが、これに限らない。例えば、アース線が第２のアースばねに接続されている構成であってもよい。この場合、合成樹脂などにて形成されたケース体を用いることもでき、ディスク装置の軽量化やコストの低減を図ることができる。
【００８１】
その他、本発明の実施の際の具体的な構造および手順は、本発明の目的を達成できる範囲で他の構造などに適宜変更できる。
【００８２】
［実施形態の作用効果］
上記のような実施の形態のディスク装置１００には、第１および第２のガイドレール２６０Ａ，２６０Ｂがケース体２００の内面に設けられて第１および第２のレール２７０Ａ，２７０Ｂを進退自在に保持し、この第１および第２のレール２７０Ａ，２７０Ｂが、ディスク処理部３３０を備えたトレイ部３００を進退自在に支持している。そして、トレイ部３００にはディスク処理部３３０と導電可能な第１のアースばね３６１が第１のレール２７０Ａに摺接される状態で設けられ、この第１のレール２７０Ａには、ケース体２００に設けられた第２のアースばね２８０が摺接している。また、第２のアースばね２８０が第１のレール２７０Ａの進退移動範囲において、第１のレール２７０Ａに接続されるように設けられている。そして、ディスク処理部３００に帯電した電気は、第１のアースばね３６１、第１のレール２７０Ａ、第２のアースばね２８０、ケース体２００を介してアース線から放電される。このため、トレイ部３００をケース体２００から進退移動させても、第１のアースばね３６１が第１のレール２７０Ａに摺接して常時当接できる。したがって、ディスク処理部３３０は、第１のアースばね３６１および第１のレール２７０Ａを介してケース体２００に導電する簡単な構成で容易に常にアースできるアース構造を構成することができる。
【産業上の利用可能性】
【００８３】
本発明は、移動体を接地するアース装置、および電気機器に利用できる。
【図１】
0004445969.tif 000002
【図２】
0004445969.tif 000003
【図３Ａ】
0004445969.tif 000004
【図３Ｂ】
0004445969.tif 000005
【図３Ｃ】
0004445969.tif 000006
【図３Ｄ】
0004445969.tif 000007
【図４】
0004445969.tif 000008
【図５】
0004445969.tif 000009
【図６】
0004445969.tif 000010
【図７】
0004445969.tif 000011
【図８】
0004445969.tif 000012